(57)【特許請求の範囲】
【請求項１】
本体を含み、前記本体の中には汚水空間が設置され、前記本体の左側面には感応箱が固定的に設置され、前記感応箱の中には感応空間が設置され、前記感応空間と前記汚水空間とが連結管及び三方管により連通され、前記連結管が前記三方管の上側に位置し、前記三方管は左方に延在する部分が外部の汚水源と連通し、前記三方管の左側には前記三方管と汚水源とを連通させる又は前記三方管に汚水源を閉鎖させる電磁弁が固定的に装着され、前記汚水空間の中には粒が沈下するのを防ぐために汚水を撹拌する撹拌機構が設置され、前記感応空間の中には前記汚水空間の中の液面が高すぎるか否かをセンサーすることにより、前記電磁弁を開ける又は止める感応機構が設置され、
前記汚水空間の上側には連結空間が連通するように設置され、前記連結空間の上側には昇降空間が連通するように設置され、前記連結空間の後壁にはドア板がスライド可能に設置され、前記ドア板は前記連結空間を連通させる又は前記昇降空間を閉鎖することができ、前記連結空間の右側にはルーレット空間が連通するように設置され、前記ルーレット空間の中には前記ドア板を左右にスライドさせられるドア開け機構が設置され、前記昇降空間の中には汚水に初曝気を行える一段曝気機構が設置され、前記昇降空間の右側には液体排出空間が連通するように設置され、前記液体排出空間の上側には曝気空間が設置され、前記曝気空間の中には汚水に二次曝気を行える二段曝気機構が設置され、前記本体の右側面には二度曝気後の水を収集できる水槽が固定的に設置されていることを特徴とする汚水処理のための多段曝気装置。
【請求項２】
前記撹拌機構は前記汚水空間の底壁に回転可能に設置された撹拌軸を含み、前記撹拌軸の外周には左右対称となる二枚の撹拌羽根が固定的に設置され、前記汚水空間の下側にはベルト空間が設置され、前記ベルト空間の底壁の中にはモーターが固定的に嵌められ、前記撹拌軸は下方に延在する部分が前記ベルト空間を貫通して前記モーターと伝動可能に連結されていることを特徴とする請求項１に記載の汚水処理のための多段曝気装置。
【請求項３】
前記ドア開け機構は前記ルーレット空間の底壁に回転可能に設置された短軸を含み、前記短軸の頂面にはルーレットが固定的に設置され、前記ドア板の右側面には第一コンロッドがヒンジで連結され、前記第一コンロッドは右方に延在する部分が前記ルーレット空間の中に伸びて前記ルーレットの頂面とヒンジで連結され、前記連結空間と前記ルーレット空間との間には第一密封スリーブが固定的に装着され、前記第一コンロッドは前記第一密封スリーブを貫通し、前記ルーレット空間の下側内壁には減速器が固定的に嵌められ、前記短軸は下方に延在する部分が前記減速器と伝動可能に連結され、前記ベルト空間の底壁には長軸が回転可能に設置され、前記長軸は上方に延在する部分が前記ベルト空間の上側内壁を貫通して前記減速器と伝動可能に連結され、前記ベルト空間の中に位置する前記長軸の外周には第一プーリが固定的に設置され、前記ベルト空間の中に位置する前記撹拌軸の外周には第二プーリが固定的に設置され、前記第二プーリと前記第一プーリとの間にはベルトが装着されていることを特徴とする請求項２に記載の汚水処理のための多段曝気装置。
【請求項４】
前記感応機構は前記感応箱の左側面に固定的に設置された固定ブロックを含み、前記固定ブロックの前側面には第二コンロッドがヒンジで連結され、前記感応空間の左側には左方に開口した方形空間が連通するように設置され、前記第二コンロッドは右方に延在する部分が前記方形空間を貫通して前記感応空間の中に伸び、また前記第二コンロッドの右方に延在する部分の右側面には浮きブロックが固定的に設置され、前記感応空間と前記方形空間との間には第二密封スリーブが固定的に装着され、前記第二コンロッドは前記第二密封スリーブを貫通し、前記第二コンロッドの頂面と前記感応箱の右側面との間には第一ばねが固定的に装着され、前記第二コンロッドの底面には電気接点ブロックが固定的に設置され、前記電磁弁の頂面には電気接点スイッチが固定的に設置され、前記感応空間と前記三方管との間には逆止弁が固定的に設置されていることを特徴とする請求項１に記載の汚水処理のための多段曝気装置。
【請求項５】
前記連結空間の左側内壁にはエアポンプが固定的に嵌められ、前記エアポンプの左側面が外部空間と連通し、前記エアポンプと前記連結空間とがガス管により連通されていることを特徴とする請求項１に記載の汚水処理のための多段曝気装置。
【請求項６】
前記一段曝気機構はスリーブと液体収集箱とを含み、前記スリーブの中には下方に開口したスリーブ空間が設置され、前記液体収集箱が前記スリーブ空間の中に位置し、前記液体収集箱の外側面と前記スリーブ空間の内壁とが当接し、前記昇降空間の頂壁には第一シリンダーと第二シリンダーが固定的に設置され、前記第二シリンダーが左右対称となるように二つ設置され、二つの前記第二シリンダーがそれぞれ前記第一シリンダーの左右両側に位置し、前記第一シリンダーの下側には第一シリンダーロッドが伝動可能に連結され、前記第二シリンダーの下側には第二シリンダーロッドが伝動可能に連結され、前記第一シリンダーロッドは下方に延在する部分が前記スリーブの内壁を貫通して前記液体収集箱の頂面と固定的に連結され、前記第二シリンダーロッドの底面と前記スリーブの頂面とが固定的に連結され、前記液体収集箱の中には矩形空間が設置され、前記矩形空間の両側にはいずれも外側に開口した六つの水孔が連通するように設置され、前記矩形空間の上側には上方に開口した二つのガス孔が連通するように設置され、前記スリーブ空間の右側には右方に開口した抜き孔が連通するように設置され、前記抜き孔は前記水孔と前記液体排出空間とを連通させられ、前記昇降空間の右壁にはバルブ制限ブロックが固定的に設置され、前記スリーブの右側面には支持ブロックが固定的に設置され、前記スリーブの右側面にはスライダがスライド可能に設置され、前記スライダの底面と前記支持ブロックの頂面との間には第二ばねが固定的に装着されていることを特徴とする請求項１に記載の汚水処理のための多段曝気装置。
【請求項７】
前記二段曝気機構は前記曝気空間と前記液体排出空間との間の内壁に固定的に嵌められたウォーターポンプを含み、前記ウォーターポンプと前記曝気空間とが排水管により連通され、前記ウォーターポンプと前記液体排出空間とが吸水管により連通され、前記排水管は右方に延在する部分が前記曝気空間の中に伸び、また前記排水管の右方に延在する部分の頂面には均等に配列された三つの散気ディスクが固定的に装着されていることを特徴とする請求項１に記載の汚水処理のための多段曝気装置。
【請求項８】
前記曝気空間の右側には水出口が連通するように設置され、前記水槽の中には貯水空間が設置され、前記貯水空間の上側には上方に開口した水入口が連通するように設置され、前記貯水空間の右側には水槽管が固定的に連結され、前記水槽管の外周にはバルブ制限ブロックが固定的に設置されていることを特徴とする請求項１に記載の汚水処理のための多段曝気装置。
【発明の詳細な説明】
【技術分野】
【０００１】
本願発明は汚水処理技術分野に関し、具体的には汚水処理のための多段曝気装置である。
【背景技術】
【０００２】
曝気とは、水を空気にさらし、液体に空気を供給する行為。主に水に対し酸素を供給する場合にこの語が用いられる。酸素を供給することで水中の微生物有機物の分解を促進させるため、養殖業などで活用される技術である。空中で砂を地下水とともに噴出させるのは普通の汚水処理によく使用する方法であり、この方法では、酸素の溶存効果が悪く、汚水にある微生物は反応速度が遅く、また、普通の曝気設備は単一で、散気ディスクを使用して曝気を行い、この方法では、溶存酸素量を増加できるが、速度が非常に遅く、時間とコストを大いに増加する。
【先行技術文献】
【特許文献】
【０００３】
【特許文献１】中国特許出願公開第１０５６６８７８７号明細書
【発明の概要】
【発明が解決しようとする課題】
【０００４】
本願発明は汚水処理のための多段曝気装置を提供し、既存技術にある上記の欠点を解消することを目的とする。
【課題を解決するための手段】
【０００５】
本願発明の汚水処理のための多段曝気装置は、本体を含み、前記本体の中には汚水空間が設置され、前記本体の左側面には感応箱が固定的に設置され、前記感応箱の中には感応空間が設置され、前記感応空間と前記汚水空間とが連結管及び三方管により連通され、前記連結管が前記三方管の上側に位置し、前記三方管は左方に延在する部分が外部の汚水源と連通し、前記三方管の左側には前記三方管と汚水源とを連通させる又は前記三方管に汚水源を閉鎖させる電磁弁が固定的に装着され、前記汚水空間の中には粒が沈下するのを防ぐために汚水を撹拌する撹拌機構が設置され、前記感応空間の中には前記汚水空間の中の液面が高すぎるか否かをセンサーすることにより、前記電磁弁を開ける又は止める感応機構が設置され、前記汚水空間の上側には連結空間が連通するように設置され、前記連結空間の上側には昇降空間が連通するように設置され、前記連結空間の後壁にはドア板がスライド可能に設置され、前記ドア板は前記連結空間を連通させる又は前記昇降空間を閉鎖することができ、前記連結空間の右側にはルーレット空間が連通するように設置され、前記ルーレット空間の中には前記ドア板を左右にスライドさせられるドア開け機構が設置され、前記昇降空間の中には汚水に初曝気を行える一段曝気機構が設置され、前記昇降空間の右側には液体排出空間が連通するように設置され、前記液体排出空間の上側には曝気空間が設置され、前記曝気空間の中には汚水に二次曝気を行える二段曝気機構が設置され、前記本体の右側面には二度曝気後の水を収集できる水槽が固定的に設置されている。
【０００６】
前記撹拌機構は前記汚水空間の底壁に回転可能に設置された撹拌軸を含み、前記撹拌軸の外周には左右対称となる二枚の撹拌羽根が固定的に設置され、前記汚水空間の下側にはベルト空間が設置され、前記ベルト空間の底壁の中にはモーターが固定的に嵌められ、前記撹拌軸は下方に延在する部分が前記ベルト空間を貫通して前記モーターと伝動可能に連結されている。
【０００７】
前記ドア開け機構は前記ルーレット空間の底壁に回転可能に設置された短軸を含み、前記短軸の頂面にはルーレットが固定的に設置され、前記ドア板の右側面には第一コンロッドがヒンジで連結され、前記第一コンロッドは右方に延在する部分が前記ルーレット空間の中に伸びて前記ルーレットの頂面とヒンジで連結され、前記連結空間と前記ルーレット空間との間には第一密封スリーブが固定的に装着され、前記第一コンロッドは前記第一密封スリーブを貫通し、前記ルーレット空間の下側内壁には減速器が固定的に嵌められ、前記短軸は下方に延在する部分が前記減速器と伝動可能に連結され、前記ベルト空間の底壁には長軸が回転可能に設置され、前記長軸は上方に延在する部分が前記ベルト空間の上側内壁を貫通して前記減速器と伝動可能に連結され、前記ベルト空間の中に位置する前記長軸の外周には第一プーリが固定的に設置され、前記ベルト空間の中に位置する前記撹拌軸の外周には第二プーリが固定的に設置され、前記第二プーリと前記第一プーリとの間にはベルトが装着されている。
【０００８】
前記感応機構は前記感応箱の左側面に固定的に設置された固定ブロックを含み、前記固定ブロックの前側面には第二コンロッドがヒンジで連結され、前記感応空間の左側には左方に開口した方形空間が連通するように設置され、前記第二コンロッドは右方に延在する部分が前記方形空間を貫通して前記感応空間の中に伸び、また前記第二コンロッドの右方に延在する部分の右側面には浮きブロックが固定的に設置され、前記感応空間と前記方形空間との間には第二密封スリーブが固定的に装着され、前記第二コンロッドは前記第二密封スリーブを貫通し、前記第二コンロッドの頂面と前記感応箱の右側面との間には第一ばねが固定的に装着され、前記第二コンロッドの底面には電気接点ブロックが固定的に設置され、前記電磁弁の頂面には電気接点スイッチが固定的に設置され、前記感応空間と前記三方管との間には逆止弁が固定的に設置されている。
【０００９】
前記連結空間の左側内壁にはエアポンプが固定的に嵌められ、前記エアポンプの左側面が外部空間と連通し、前記エアポンプと前記連結空間とがガス管により連通されている。
【００１０】
前記一段曝気機構はスリーブと液体収集箱とを含み、前記スリーブの中には下方に開口したスリーブ空間が設置され、前記液体収集箱が前記スリーブ空間の中に位置し、前記液体収集箱の外側面と前記スリーブ空間の内壁とが当接し、前記昇降空間の頂壁には第一シリンダーと第二シリンダーが固定的に設置され、前記第二シリンダーが左右対称となるように二つ設置され、二つの前記第二シリンダーがそれぞれ前記第一シリンダーの左右両側に位置し、前記第一シリンダーの下側には第一シリンダーロッドが伝動可能に連結され、前記第二シリンダーの下側には第二シリンダーロッドが伝動可能に連結され、前記第一シリンダーロッドは下方に延在する部分が前記スリーブの内壁を貫通して前記液体収集箱の頂面と固定的に連結され、前記第二シリンダーロッドの底面と前記スリーブの頂面とが固定的に連結され、前記液体収集箱の中には矩形空間が設置され、前記矩形空間の両側にはいずれも外側に開口した六つの水孔が連通するように設置され、前記矩形空間の上側には上方に開口した二つのガス孔が連通するように設置され、前記スリーブ空間の右側には右方に開口した抜き孔が連通するように設置され、前記抜き孔は前記水孔と前記液体排出空間とを連通させられ、前記昇降空間の右壁にはバルブ制限ブロックが固定的に設置され、前記スリーブの右側面には支持ブロックが固定的に設置され、前記スリーブの右側面にはスライダがスライド可能に設置され、前記スライダの底面と前記支持ブロックの頂面との間には第二ばねが固定的に装着されている。
【００１１】
前記二段曝気機構は前記曝気空間と前記液体排出空間との間の内壁に固定的に嵌められたウォーターポンプを含み、前記ウォーターポンプと前記曝気空間とが排水管により連通され、前記ウォーターポンプと前記液体排出空間とが吸水管により連通され、前記排水管は右方に延在する部分が前記曝気空間の中に伸び、また前記排水管の右方に延在する部分の頂面には均等に配列された三つの散気ディスクが固定的に装着されている。
【００１２】
前記曝気空間の右側には水出口が連通するように設置され、前記水槽の中には貯水空間が設置され、前記貯水空間の上側には上方に開口した水入口が連通するように設置され、前記貯水空間の右側には水槽管が固定的に連結され、前記水槽管の外周にはバルブ制限ブロックが固定的に設置されている。
【発明の効果】
【００１３】
本願発明の有益な効果は：本願発明は二度の曝気プロセスで汚水の中の酸素量を増加でき、微生物の反応を充分にし、汚水をより早く浄化でき、本願発明は設計が簡単で、操作が便利であり、撹拌機構は撹拌によって汚水の中にある粒の沈下を防止でき、感応機構は本願発明内部の汚水量を感知でき、汚水を絶えず浄化すると同時に多すぎる汚水で本願発明内部に位置する機構の作動に影響することを避け、ドア開け機構は撹拌機構と連動してドア板を左右にスライドさせることができ、一段曝気機構は機械式初曝気を行え、二段曝気機構は二次曝気を行える。
【図面の簡単な説明】
【００１４】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の内部全体構成概略図
【図２】図２は本願発明の図１におけるＡの拡大概略図
【図３】図３は本願発明の図１におけるＢの拡大概略図
【図４】図４は本願発明の図１におけるＣの拡大概略図
【発明を実施するための形態】
【００１６】
図１〜４を参照し、本願発明の汚水処理のための多段曝気装置は、本体１１を含み、前記本体１１の中には汚水空間４９が設置され、前記本体１１の左側面には感応箱５４が固定的に設置され、前記感応箱５４の中には感応空間５５が設置され、前記感応空間５５と前記汚水空間４９とが連結管５６及び三方管５０により連通され、前記連結管５６が前記三方管５０の上側に位置し、前記三方管５０は左方に延在する部分が外部の汚水源と連通し、前記三方管５０の左側には前記三方管５０と汚水源とを連通させる又は前記三方管５０に汚水源を閉鎖させる電磁弁５１が固定的に装着され、前記汚水空間４９の中には粒が沈下するのを防ぐために汚水を撹拌する撹拌機構１０１が設置され、前記感応空間５５の中には前記汚水空間４９の中の液面が高すぎるか否かをセンサーすることにより、前記電磁弁５１を開ける又は止める感応機構１０２が設置され、前記汚水空間４９の上側には連結空間１４が連通するように設置され、前記連結空間１４の上側には昇降空間２３が連通するように設置され、前記連結空間１４の後壁にはドア板４０がスライド可能に設置され、前記ドア板４０は前記連結空間１４を連通させる又は前記昇降空間２３を閉鎖することができ、前記連結空間１４の右側にはルーレット空間３１が連通するように設置され、前記ルーレット空間３１の中には前記ドア板４０を左右にスライドさせられるドア開け機構１０３が設置され、前記昇降空間２３の中には汚水に初曝気を行える一段曝気機構１０４が設置され、前記昇降空間２３の右側には液体排出空間３０が連通するように設置され、前記液体排出空間３０の上側には曝気空間２４が設置され、前記曝気空間２４の中には汚水に二次曝気を行える二段曝気機構１０５が設置され、前記本体１１の右側面には二度曝気後の水を収集できる水槽３４が固定的に設置されている。
【００１７】
前記撹拌機構１０１は前記汚水空間４９の底壁に回転可能に設置された撹拌軸４７を含み、前記撹拌軸４７の外周には左右対称となる二枚の撹拌羽根４８が固定的に設置され、前記汚水空間４９の下側にはベルト空間４４が設置され、前記ベルト空間４４の底壁の中にはモーター４６が固定的に嵌められ、前記撹拌軸４７は下方に延在する部分が前記ベルト空間４４を貫通して前記モーター４６と伝動可能に連結され、前記モーター４６の作動で前記撹拌軸４７が前記撹拌羽根４８を駆動して回転させ、こうして前記撹拌羽根４８が撹拌機能を備えるようになる。
【００１８】
前記ドア開け機構１０３は前記ルーレット空間３１の底壁に回転可能に設置された短軸３９を含み、前記短軸３９の頂面にはルーレット３２が固定的に設置され、前記ドア板４０の右側面には第一コンロッド６４がヒンジで連結され、前記第一コンロッド６４は右方に延在する部分が前記ルーレット空間３１の中に伸びて前記ルーレット３２の頂面とヒンジで連結され、前記連結空間１４と前記ルーレット空間３１との間には第一密封スリーブ６５が固定的に装着され、前記第一コンロッド６４は前記第一密封スリーブ６５を貫通し、前記ルーレット空間３１の下側内壁には減速器３３が固定的に嵌められ、前記短軸３９は下方に延在する部分が前記減速器３３と伝動可能に連結され、前記ベルト空間４４の底壁には長軸４１が回転可能に設置され、前記長軸４１は上方に延在する部分が前記ベルト空間４４の上側内壁を貫通して前記減速器３３と伝動可能に連結され、前記ベルト空間４４の中に位置する前記長軸４１の外周には第一プーリ４２が固定的に設置され、前記ベルト空間４４の中に位置する前記撹拌軸４７の外周には第二プーリ４５が固定的に設置され、前記第二プーリ４５と前記第一プーリ４２との間にはベルト４３が装着され、前記撹拌軸４７の回転で前記ベルト４３が動力を伝達でき、前記長軸４１が回転でき、前記短軸３９が前記ルーレット３２を駆動して回転させられ、前記第一コンロッド６４が前記ドア板４０を駆動して左右に移動させることができる。
【００１９】
前記感応機構１０２は前記感応箱５４の左側面に固定的に設置された固定ブロック５８を含み、前記固定ブロック５８の前側面には第二コンロッド６２がヒンジで連結され、前記感応空間５５の左側には左方に開口した方形空間５９が連通するように設置され、前記第二コンロッド６２は右方に延在する部分が前記方形空間５９を貫通して前記感応空間５５の中に伸び、また前記第二コンロッド６２の右方に延在する部分の右側面には浮きブロック５７が固定的に設置され、前記感応空間５５と前記方形空間５９との間には第二密封スリーブ６０が固定的に装着され、前記第二コンロッド６２は前記第二密封スリーブ６０を貫通し、前記第二コンロッド６２の頂面と前記感応箱５４の右側面との間には第一ばね６３が固定的に装着され、前記第二コンロッド６２の底面には電気接点ブロック６１が固定的に設置され、前記電磁弁５１の頂面には電気接点スイッチ５２が固定的に設置され、前記感応空間５５と前記三方管５０との間には逆止弁７７が固定的に設置され、前記汚水空間４９の中の液体の液面が高い時、汚水は前記連結管５６を介して前記感応空間５５の中に流れ込み、前記感応空間５５の中の汚水が多くなると、前記浮きブロック５７が上方に移動して前記電気接点ブロック６１を下方に移動させ、前記電気接点ブロック６１が前記電気接点スイッチ５２と接触した時、前記電磁弁５１が止まり、前記三方管５０が前記汚水空間４９の中に汚水を送ることを停止する。
【００２０】
前記連結空間１４の左側内壁にはエアポンプ１２が固定的に嵌められ、前記エアポンプ１２の左側面が外部空間と連通し、前記エアポンプ１２と前記連結空間１４とがガス管１３により連通され、前記エアポンプ１２の作動で曝気用の酸素は前記連結空間１４の中に導入されることができる。
【００２１】
前記一段曝気機構１０４はスリーブ１５と液体収集箱１６とを含み、前記スリーブ１５の中には下方に開口したスリーブ空間７６が設置され、前記液体収集箱１６が前記スリーブ空間７６の中に位置し、前記液体収集箱１６の外側面と前記スリーブ空間７６の内壁とが当接し、前記昇降空間２３の頂壁には第一シリンダー２２と第二シリンダー２１が固定的に設置され、前記第二シリンダー２１が左右対称となるように二つ設置され、二つの前記第二シリンダー２２がそれぞれ前記第一シリンダー２２の左右両側に位置し、前記第一シリンダー２２の下側には第一シリンダーロッド１９が伝動可能に連結され、前記第二シリンダー２１の下側には第二シリンダーロッド２０が伝動可能に連結され、前記第一シリンダーロッド１９は下方に延在する部分が前記スリーブ１５の内壁を貫通して前記液体収集箱１６の頂面と固定的に連結され、前記第二シリンダーロッド２０の底面と前記スリーブ１５の頂面とが固定的に連結され、前記液体収集箱１６の中には矩形空間７５が設置され、前記矩形空間７５の両側にはいずれも外側に開口した六つの水孔１７が連通するように設置され、前記矩形空間７５の上側には上方に開口した二つのガス孔１８が連通するように設置され、前記スリーブ空間７６の右側には右方に開口した抜き孔６７が連通するように設置され、前記抜き孔６７は前記水孔１７と前記液体排出空間３０とを連通させられ、前記昇降空間２３の右壁にはバルブ制限ブロック３８が固定的に設置され、前記スリーブ１５の右側面には支持ブロック６９が固定的に設置され、前記スリーブ１５の右側面にはスライダ６８がスライド可能に設置され、前記スライダ６８の底面と前記支持ブロック６９の頂面との間には第二ばね７０が固定的に装着され、前記ドア板４０が右方に移動する時、まず、前記第一シリンダー２２が作動することで前記第一エアポンプロッド１９が前記液体収集箱１６を駆動して下方へ前記汚水空間４９の中まで移動させ、かつ前記液体収集箱１６の中に汚水を注ぎ、つぎに、前記第二シリンダー２１が作動することで前記第二シリンダーロッド２０が前記スリーブ１５を駆動して下方に素早く移動させ、前記エアポンプ１２が駆動されて前記連結空間１４の中に酸素を導入して前記液体収集箱１６を素早く閉鎖し、酸素は汚水の中に送られて曝気を行え、完了後、前記スリーブ１５と前記液体収集箱１６が同時に上方に移動し、前記液体収集箱１６が上限位置まで移動した時、前記バルブ制限ブロック３８が前記スライダ６８を押して下方に移動させ、前記抜き孔６７が前記水孔１７と前記液体排出空間３０とを連通させられ、そして曝気後の汚水は前記液体排出空間３０の中に送られることができる。
【００２２】
前記二段曝気機構１０５は前記曝気空間２４と前記液体排出空間３０との間の内壁に固定的に嵌められたウォーターポンプ２８を含み、前記ウォーターポンプ２８と前記曝気空間２４とが排水管２６により連通され、前記ウォーターポンプ２８と前記液体排出空間３０とが吸水管２９により連通され、前記排水管２６は右方に延在する部分が前記曝気空間２４の中に伸び、また前記排水管２６の右方に延在する部分の頂面には均等に配列された三つの散気ディスク２５が固定的に装着され、前記ウォーターポンプ２８の作動で前記液体排出空間３０の中にある汚水は前記曝気空間２４の中に送られることができ、前記散気ディスク２５を使用して二次曝気を実現する。
【００２３】
前記曝気空間２４の右側には水出口２７が連通するように設置され、前記水槽３４の中には貯水空間３６が設置され、前記貯水空間３６の上側には上方に開口した水入口３５が連通するように設置され、前記貯水空間３６の右側には水槽管３７が固定的に連結され、前記水槽管３７の外周にはバルブ制限ブロック３８が固定的に設置され、二次曝気後の水は前記水出口２７から前記貯水空間３６の中に入って貯蔵され、前記バルブ制限ブロック３８で前記貯水空間３６の中にある水は排出されることができる。
【００２４】
使用する時、モーター４６の作動により、撹拌軸４７が撹拌羽根４８を駆動して回転させ、こうして撹拌羽根４８が撹拌機能を備えるようになり、撹拌軸４７の回転でベルト４３が動力を伝達でき、長軸４１が回転でき、短軸３９がルーレット３２を駆動して回転させられ、第一コンロッド６４がドア板４０を駆動して左右に移動させることができ、汚水空間４９の中の液体の液面が高い時、汚水は連結管５６を介して感応空間５５の中に流れ込み、感応空間５５の中の汚水が多くなると、浮きブロック５７が上方に移動して電気接点ブロック６１を下方に移動させ、電気接点ブロック６１が電気接点スイッチ５２と接触した時、電磁弁５１が止まり、三方管５０が汚水空間４９の中に汚水を送ることを停止し、エアポンプ１２の作動で曝気用の酸素は連結空間１４の中に導入されることができ、ドア板４０が右方に移動する時、まず、第一シリンダー２２が作動することで第一シリンダーロッド１９が液体収集箱１６を駆動して下方へ汚水空間４９の中まで移動させ、かつ液体収集箱１６の中に汚水を注ぎ、つぎに、第二シリンダー２１が作動することで第二シリンダーロッド２０がスリーブ１５を駆動して下方に素早く移動させ、エアポンプ１２が駆動されて連結空間１４の中に酸素を導入して液体収集箱１６を素早く閉鎖し、酸素は汚水の中に送られて曝気を行え、完了後、スリーブ１５と液体収集箱１６が同時に上方に移動し、液体収集箱１６が上限位置まで移動した時、バルブ制限ブロック３８がスライダ６８を押して下方に移動させ、抜き孔６７が水孔１７と液体排出空間３０とを連通させられ、そして曝気後の汚水は液体排出空間３０の中に送られることができ、ウォーターポンプ２８の作動で液体排出空間３０の中にある汚水は曝気空間２４の中に送られることができ、散気ディスク２５を使用して二次曝気を実現でき、二次曝気後の水は水出口２７から貯水空間３６の中に入って貯蔵され、バルブ制限ブロック３８で貯水空間３６の中にある水は排出されることができる。
【００２５】
本願発明の有益な効果は：本願発明は二度の曝気プロセスで汚水の中の酸素量を増加でき、微生物の反応を充分にし、汚水をより早く浄化でき、本願発明は設計が簡単で、操作が便利であり、撹拌機構は撹拌によって汚水の中にある粒の沈下を防止でき、感応機構は本願発明内部の汚水量を感知でき、汚水を絶えず浄化すると同時に多すぎる汚水で本願発明内部に位置する機構の作動に影響することを避け、ドア開け機構は撹拌機構と連動してドア板を左右にスライドさせることができ、一段曝気機構は機械式初曝気を行え、二段曝気機構は二次曝気を行える。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本願発明は汚水処理のための多段曝気装置を開示した。
【解決手段】
本体を含み、前記本体の中には汚水空間が設置され、前記本体の左側面には感応箱が固定的に設置され、前記感応箱の中には感応空間が設置され、前記感応空間と前記汚水空間とが連結管及び三方管により連通され、前記連結管が前記三方管の上側に位置し、前記三方管は左方に延在する部分が外部の汚水源と連通し、前記三方管の左側には前記三方管と汚水源とを連通させる又は前記三方管に汚水源を閉鎖させる電磁弁が固定的に装着され、前記汚水空間の中には粒が沈下するのを防ぐために汚水を撹拌する撹拌機構が設置され、本願発明は二度の曝気プロセスで汚水の中の酸素量を増加でき、微生物の反応を充分にし、汚水をより早く浄化できる。
【選択図】図１【図１】
0006764081.tif 000002
【図２】
0006764081.tif 000003
【図３】
0006764081.tif 000004
【図４】
0006764081.tif 000005